(57)【要約】【課題】  安定した発振抑制効果が得られると共に高精度に発振が抑制できるように回路定数が調整できるようにする。【解決手段】    回路定数を調整する回路定数調整器１６であって、終端が開放端に形成されたスタブ１６ｅと、一端１７ｂがスタブ１６ｅに接続されると共に、他端１７ａが回路定数調整対象の回路１２に接続され、かつ、抵抗値が設定可能に設けられた可変抵抗器１６ａと、可変抵抗器１６ａに制御信号を出力して、当該可変抵抗器１６ａの抵抗値を設定する抵抗値設定器１６ｃと、を備える。【選択図】      図１
2013026975.tif 000002
【特許請求の範囲】
【請求項１】
回路定数を調整する回路定数調整器であって、
終端が開放端に形成されたスタブと、
一端が前記スタブに接続されると共に、他端が回路定数調整対象の回路に接続され、かつ、抵抗値が設定可能に設けられた可変抵抗器と、
前記可変抵抗器に制御信号を出力して、当該可変抵抗器の抵抗値を設定する抵抗値設定器と、を備えることを特徴とする回路定数調整器。
【請求項２】
請求項１に記載の回路定数調整器であって、
前記可変抵抗器と前記抵抗値設定器との間に設けられて、これらの間を流れる電流値を抑制するアイソレーション抵抗器を備えることを特徴とする回路定数調整器。
【請求項３】
請求項１又は２に記載の回路定数調整器であって、
前記スタブは、抑制したい信号成分の周波数をλとしたとき、λ／４の長さに設定されていることを特徴とする回路定数調整器。
【請求項４】
請求項１乃至３のいずれか１項に記載の回路定数調整器であって、
前記可変抵抗器はＭＩＳ型トランジスタで、該ＭＩＳ型トランジスタのゲートに前記抵抗値設定器からの前記制御信号が入力することを特徴とする回路定数調整器。
【請求項５】
請求項１乃至４のいずれか１項に記載の回路定数調整器であって、
前記抵抗値設定器には、入力されたデータに基づき出力する前記制御信号の電圧値を演算する基準データが格納されていることを特徴とする回路定数調整器。
【請求項６】
請求項５に記載の回路定数調整器であって、
前記抵抗値設定器は、前記入力されたデータと基準データとの差が最も大きくなる周波数の信号成分を抑制するに適した電圧値の前記制御信号を演算することを特徴とする回路定数調整器。
【請求項７】
信号を増幅する増幅器と、
該増幅器により増幅される信号又は増幅された信号が伝送する伝送回路と、
前記伝送回路を回路定数調整対象の回路として、該回路に接続された請求項１乃至６のいずれか１項に記載の回路定数調整器とを備えることを特徴とする低雑音増幅装置。
【請求項８】
請求項７に記載の低雑音増幅装置であって、
前記回路定数調整対象の回路と前記回路定数調整回路とは、同一の半導体基板に形成されていることを特徴とする低雑音増幅装置。
【発明の詳細な説明】
【技術分野】
【０００１】
本発明は、回路定数を調整する回路定数調整器及びそれを用いた低雑音増幅装置に関する。
【背景技術】
【０００２】
低雑音増幅装置においては、例えばミリ波帯の発振防止を目的として、バイアスラインやスタブラインに固定の低抵抗器を入れることが行われている。
【０００３】
しかし、抵抗器の個体差や製造プロセスの誤差等の要因により抵抗器の抵抗値は設計値からずれることがある。そして、抵抗値が設計値よりも小さくなった場合には発振を防止することができず、逆に抵抗値が大きくなった場合には発振防止には効果があるものの雑音特性が劣化することがある。
【０００４】
従って、低雑音増幅装置において発振が発生したり雑音特性が劣化したりすると、製品の歩留まりが悪くなってしまう。
【０００５】
そこで、例えば、特開２００３−２８３２６３号公報においては、製造工程のばらつきや寄生成分などによって負帰還用のインダクタ要素のインダクタンス値が設計値からばらつくので、複数のインダクタ要素を設け、パッケージング後に増幅特性を測定した結果に応じて、制御回路が切換え回路によって、それらを択一的に選択して、高周波増幅用トランジスタに接続する高周波増幅回路が開示されている。
【０００６】
また、特開２００５−２４４５３９号公報においては、モノリシック低雑音増幅装置のチップを気密パッケージに実装して用いる場合に、不要発振の原因となる帯域外の高域の利得を低減した高周波増幅回路が開示されている。この高周波増幅回路は、増幅素子と、増幅器の入力端に、一端が接続された入力整合回路と、増幅器の出力端に、一端が接続された出力整合回路と、入力整合回路の他端に接続された入力バイアス回路と、出力整合回路の他端に接続された出力バイアス回路と、出力バイアス回路の他端に接続され、所望帯域の所要帯域より高域の周波数帯で信号減衰作用を有した帯域外高域減衰回路を備える。
【先行技術文献】
【特許文献】
【０００７】
【特許文献１】特開２００３−２８３２６３号公報
【特許文献２】特開２００５−２４４５３９号公報
【発明の概要】
【発明が解決しようとする課題】
【０００８】
しかしながら、特開２００３−２８３２６３号公報にかかる構成は、予めインダクタ要素を複数設ける必要があるため、回路の大面積化をもたらす問題があると共に、複数のインダクタ用の値が離散的となるため、状況に応じて精度良く発振を抑制することができない問題がある。
【０００９】
また、特開２００５−２４４５３９号公報にかかる構成は、帯域外高域減衰回路は、外付け回路であるため、外付け状態により安定した発振抑制効果が得られない場合がある。
【００１０】
そこで、本発明の主目的は、安定した発振抑制効果が得られると共に高精度に発振が抑制できるように回路定数が調整できる回路定数調整器及びそれを用いた低雑音増幅装置を提供することである。
【課題を解決するための手段】
【００１１】
上記課題を解決するため、本発明にかかる回路定数調整器は、終端が開放端に形成されたスタブと、一端がスタブに接続されると共に、他端が回路定数調整対象の回路に接続され、かつ、抵抗値が設定可能に設けられた可変抵抗器と、可変抵抗器に制御信号を出力して、当該可変抵抗器の抵抗値を設定する抵抗値設定器と、を備えることを特徴とする。
【００１２】
また、低雑音増幅装置は、信号を増幅する増幅器と、該増幅器により増幅される信号又は増幅された信号が伝送する伝送回路と、伝送回路を回路定数調整対象の回路として、該回路に接続された上記の回路定数調整器と、を備えることを特徴とする。
【発明の効果】
【００１３】
本発明によれば、回路定数を雑音特性の劣化を極力抑えつつ発振を抑圧する値に設定できるため、歩留まりが向上する。
【図面の簡単な説明】
【００１４】
【図１】本発明の実施形態にかかる低雑音増幅装置のブロック図である。
【図２】低雑音増幅装置の出力信号の計測例を示す図である。
【発明を実施するための形態】
【００１５】
本発明の実施形態を説明する。図１は、本実施形態にかかる低雑音増幅装置２の概略構成を示すブロック図である。
【００１６】
低雑音増幅装置２は、第１整合回路１１、第２整合回路１２、第３整合回路１３を備えると共に、第１整合回路１１と第２整合回路との間に設けられた第１増幅器１４、第２整合回路１２と第３整合回路との間に設けられた第２増幅器１５を備える。また、第２整合回路１２には、回路定数調整器１６が接続されている。
【００１７】
第１整合回路１１は、第１増幅器１４に対するインピーダンス整合等を目的として設けられ、第２整合回路１２は、第２増幅器１５に対するインピーダンス整合等を目的として設けられている。また、第３整合回路１３は、増幅した信号の出力先とのインピーダンス整合等のために設けられている。
【００１８】
第１整合回路１１、第２整合回路１２、第３整合回路１３は、線路等の種々の要素により構成された回路定数調整対象の回路である。また、図１においては、第２整合回路１２を構成する要素として、線路１２ａ〜１２ｅが図示され、またコンデンサ１２ｆ，１２ｇが図示されているが、このような構成を要件とするものではない。線路１２ａ〜１２ｅ及びコンデンサ１２ｆ，１２ｇは、第１増幅器１４で増幅された信号が伝送される伝送路をなしている。
【００１９】
なお、本発明においては、少なくとも回路定数が規定され、この回路定数により発振が起きる回路が回路定数調整対象の回路であり、図１等に記載した回路及びその要素を必須要件とするものではない。
【００２０】
本実施形態にかかる低雑音増幅装置２は、第１整合回路１１、第２整合回路１２、第３整合回路１３の各整合回路を必須とするものではないが、回路定数調整器１６を必須要素としている。一般に、増幅装置には、インピーダンス整合等を目的とした回路（図１では、第１〜第３整合回路）又はこの回路に代わる要素が用いられる。このような要素に起因して発振が起きる場合には、本発明にかかる回路定数調整器１６を適用することが可能である。
【００２１】
回路定数調整器１６は、可変抵抗器１６ａ、アイソレーション抵抗器１６ｂ、抵抗値設定器１６ｃ、線路１６ｄ，１６ｆ、スタブ１６ｅ等を備えている。線路１６ｄ、１６ｆは、第２整合回路１２からの信号をスタブ１６ｅに導くための伝送路である。このため、線路１６ｄは、第２整合回路１２における線路１２ｃと可変抵抗器１６ａとを接続するように設けられている。
【００２２】
可変抵抗器１６ａは、印加電圧値により抵抗値が変化する抵抗器で、一方の端子１７ａが線路１６ｄに接続され、他方の端子１７ｂがスタブ１６ｅに接続されている。また、可変抵抗器１６ａの抵抗制御端子１７ｃはアイソレーション抵抗器１６ｂに接続されている。このような可変抵抗器１６ａとしては、例えばＭＩＳ型トランジスタのようなＦＥＴ（Ｆｉｅｌｄ  Ｅｆｆｅｃｔ  Ｔｒａｎｓｉｓｔｏｒ）等を用いることができる。そして、ＭＩＳ型トランジスタを用いた場合には、端子１７ａや端子１７ｂはドレインやソースに対応し、抵抗制御端子１７ｃはゲートに対応する。
【００２３】
アイソレーション抵抗器１６ｂは、可変抵抗器１６ａと抵抗値設定器１６ｃとを電気的にアイソレーションするための固定抵抗器である。
【００２４】
抵抗値設定器１６ｃは、制御信号を出力する。この制御信号の電圧値は、ユーザにより設定され、その設定値は記憶されるようになっている。即ち、ユーザが制御信号の電圧値を設定すると、その後はこの電圧値の制御信号が継続して出力されるようになっている。抵抗値設定器１６ｃから出力された制御信号は、アイソレーション抵抗器１６ｂを介して可変抵抗器１６ａの抵抗制御端子１７ｃに入力する。
【００２５】
この可変抵抗器１６ａの端子１７ｂにはスタブ１６ｅが接続されている。このスタブ１６ｅは、一方の端部が開放端に形成されている。また、スタブ１６ｅの長さは、発振を防止したい信号の周波数をλとしたときに、λ／４に設定されている。このようにスタブ１６ｅを形成することにより、開放端でのインピーダンスは無限大となる。また、開放端でインピーダンスが無限大となるため、線路１６ｄのインピーダンスはゼロに近い値を示す。
【００２６】
これにより発振を抑圧したい周波数の電流は、可変抵抗器１６ａを介して等価的にスタブ１６ｅに流れる。この際、電流は可変抵抗器１６ａにより減衰する。従って、可変抵抗器１６ａにより発振を抑圧したい周波数の電流値（利得）が抑制できるようになる。
【００２７】
しかしながら、可変抵抗器１６ａの抵抗値が、減衰に適した値からずれていると、十分な抑圧効果が得られない。そこで、抵抗値設定器１６ｃからの制御信号に応じて可変抵抗器１６ａの抵抗値が変えることができるようになっている。
【００２８】
以下、かかる低雑音増幅装置の詳細な構成を出荷検査における動作説明と共に行う。信号が第１整合回路１１を介して第１増幅器１４に入力し、この第１増幅器１４で増幅されて第２整合回路１２に入力する。第２整合回路からの信号は、第２増幅器１５で増幅され、第３整合回路を経て負荷に供給される。ユーザは、負荷に供給される信号をスペクトルアナライザ等によりモニタして、低雑音増幅装置２において発振が起きているか否かを判断する。かかる判断は、種々の負荷に対して行われ、図２に示すようなモニタ結果を得る。
【００２９】
図２は、信号の周波数ｆに対して、安定係数Ｋを示したグラフである。なお、安定係数は、低雑音増幅装置２の発振に対する安定性を示す特性値である。図２における実線曲線Ｃ１は、可変抵抗器１６ａが設計した抵抗値を持つ場合の安定係数を示し、点線曲線Ｃ２は負荷試験により観測された安定係数を示している。以下、実線曲線Ｃ１に用いられた可変抵抗器１６ａの抵抗値を標準抵抗値、点線曲線Ｃ２を示したときの可変抵抗器１６ａの抵抗値を実測抵抗値と記載する。
【００３０】
実線曲線Ｃ１と点線曲線Ｃ２とは、約４０ＧＨｚ以上の周波数帯域でズレが生じ、かつ、この帯域で点線曲線Ｃ２が実線曲線Ｃ１より小さいくなっている。即ち、安定係数は約４０ＧＨｚ以上の周波数で標準抵抗値を用いた場合の安定係数より小さくなり、約４８ＧＨｚで極小値を示している。
【００３１】
ユーザは約４８ＧＨｚにおける安定係数から、標準抵抗値に対する実測抵抗値のズレを算出する。このズレ量を抵抗値ずれ量δと記載する。図２においては、この抵抗値ズレ量δがδ＝−３０％であったとして図示している。そこで、ユーザは、抵抗値ズレ量δを用いて、抵抗値設定器１６ｃが出力する制御信号の電圧値を設定する。
【００３２】
抵抗値ズレ量δと制御信号の電圧値との関係は予め取得されている。従って、ユーザは抵抗値ズレ量δから電圧値を求めて、抵抗値設定器１６ｃに設定することになる。
【００３３】
なお、標準抵抗値の安定係数（図２における実線曲線Ｃ１）を抵抗値設定器１６ｃに記憶しておき、負荷試験により得られた実測抵抗値における安定係数の最小値を、抵抗値設定器１６ｃに入力するようにしてもよい。この場合は、予め抵抗値設定器１６ｃに標準抵抗値における安定係数のデータを基準データとして格納しておき、ユーザにより実測抵抗値における安定係数の最小値のデータが入力されると、基準データとの差分から抵抗値ズレ量δを演算し、その演算結果に基づき制御信号の電圧値を設定するようにしても良い。
【００３４】
このようにして抵抗値設定器１６ｃから電圧値の設定された制御信号がアイソレーション抵抗器１６ｂを介して可変抵抗器１６ａの抵抗制御端子１７ｃに出力される。可変抵抗器１６ａがＭＩＳ型トランジスタの場合には、抵抗制御端子１７ｃはゲートに対応するので、制御信号の電圧値に応じたゲート電圧が印加されることになる。可変抵抗器１６ａのチャネル抵抗（ソース−ドレイン間の抵抗）はゲート電圧に応じて変化する。即ち、可変抵抗器１６ａの抵抗値はゲート電圧に応じて変化する。これにより、第２整合回路１２のインピーダンスが調整されて、発振を起こしている周波数成分の信号が抑圧される。
【００３５】
なお、ＭＩＳ型トランジスタのゲート入力インピーダンスは非常に大きい。従って、抵抗値設定器１６ｃから出力された制御信号の電流値は小電流でよい。このことは、抵抗値設定器１６ｃの小型化が可能であることを意味している。
【００３６】
ＭＩＳ型トランジスタの端子１７ａと抵抗制御端子１７ｃとは、ゲート絶縁膜を誘電体としたコンデンサを形成している。そして、第２整合回路１２に流れる信号が高周波信号であるため、第２整合回路１２から可変抵抗器１６ａに入力した信号が、抵抗値設定器１６ｃ側に流れることがある。かかる電流を抑制するために、高抵抗値のアイソレーション抵抗器１６ｂが用いられている。
【００３７】
なお、可変抵抗器１６ａをメカニカルな可変抵抗器にすることも原理的には可能であるが、以下の理由によりかかる構成の低雑音装置を製造することができない。即ち、第２整合回路１２は、一般的に半導体基板に形成された半導体装置である。そして、半導体装置の製造プロセスとの互換性から、回路定数調整器１６も第２整合回路１２と同時に製造することが好ましい。
【００３８】
しかし、メカニカルな可変抵抗器は半導体プロセスにより製造することができないため、このメカニカル可変抵抗器を第２整合回路１２又は回路定数調整器１６と別体に設けて、これらに対し外付けする必要が生じる。このときボンデングワイヤ等による外付けのための配線が必要になる。かかる配線は、インピーダンス等を持ち、かつ、中空配線の場合には外部振動によりインピーダンスが変化する。従って、インピーダンス調整は、非常に難しくなり、コストアップの要因となる。しかしながら、可変抵抗器１６ａをＭＩＳ型トランジスタで形成するならば、上述した不都合が発生しない利点がある。
【００３９】
このように、低雑音増幅装置を構成する各要素の特性値が設計値からずれても、そのずれが補償できるので、製品の歩留まりを向上させることが可能になる。
【００４０】
なお、本発明は、マイクロ波を使用した装置に使用される低雑音増幅装置ＭＭＩＣ（Ｍｏｎｏｌｉｔｈｉｃ  Ｍｉｃｒｏｗａｖｅ  Ｉｎｔｅｇｒａｔｅｄ  Ｃｉｒｃｕｉｔ）のみならず、他のＭＭＩＣ増幅器全般へも応用可能である。
【符号の説明】
【００４１】
２    低雑音増幅装置
１１    第１整合回路
１２    第２整合回路
１３    第３整合回路
１４    第１増幅器
１５    第２増幅器
１６    回路定数調整器
１６ａ    可変抵抗器
１６ｂ    アイソレーション抵抗器
１６ｃ    抵抗値設定器
１６ｅ    スタブ
【図１】
2013026975.tif 000003
【図２】
2013026975.tif 000004